(57)【要約】【課題】伝い歩きがしやすく且つ掴みやすいものでありながら、意匠性に優れた手摺を提供する。【解決手段】壁取付面３を有し手摺本体２を備えた手摺１であって、手摺本体２は、断面視において略Ｌ字状に形成され、床面と対向する下端面４と、該下端面に対して略垂直に形成され反壁面側を構成する本体前面５と、該本体前面に対して略垂直に形成された上端面６とを有し、前記下端面、前記本体前面及び前記上端面がいずれも平坦面とされるとともに、前記上端面から前記壁取付面へ連なる面の途中部位には、指先がかけられるように凹状に形成された手掛部７が設けられていることを特徴とする。【選択図】図１
2012046890.tif 000002
【特許請求の範囲】
【請求項１】
壁取付面を有し手摺本体を備えた手摺であって、
前記手摺本体は、断面視において略Ｌ字状に形成され、床面と対向する下端面と、該下端面に対して略垂直に形成され反壁面側を構成する本体前面と、該本体前面に対して略垂直に形成された上端面とを有し、
前記下端面、前記本体前面及び前記上端面がいずれも平坦面とされるとともに、前記上端面から前記壁取付面へ連なる面の途中部位には、指先がかけられるように凹状に形成された手掛部が設けられていることを特徴とする手摺。
【請求項２】
請求項１において、
前記手掛部から前記壁取付面へ連なる面には、斜めに傾斜した傾斜面が形成されていることを特徴とする手摺。
【請求項３】
請求項１又は請求項２において、
前記本体前面には、凹所が形成されており、
該凹所には前記手摺本体を前記壁面に固定するための取付具が挿通されるとともに、前記凹所を塞ぐためのカバー部材が嵌め込まれることにより前記カバー部材の前面と前記本体前面とが略同一面となり、前記本体前面が平坦面とされることを特徴とする手摺。
【請求項４】
請求項３において、
前記カバー部材の両端部には、前記凹所の側面に押し当てられ前記凹所内に嵌め込まれる突出片が形成されていることを特徴とする手摺。
【発明の詳細な説明】
【技術分野】
【０００１】
本発明は、廊下や階段等の壁面に設けられる手摺に関する。
【背景技術】
【０００２】
従来より、上述のような手摺としては、壁面に取り付けられた取付部材に円筒形状の手摺バーが支持されたものが知られているが、取付部材と手摺バーとを一体にした形状のものも種々提案されており、例えば、下記特許文献１及び２が挙げられる。
【０００３】
下記特許文献１及び下記特許文献２には、いずれも断面視において略台形状に形成され、壁取付面を有し手摺本体を備えた手摺が開示されている。手摺基部の上辺（上面側）が下辺（下面側）より長く形成されるとともに、前方に突出するように手掛部（にぎり部）が形成されている。また下記特許文献１には、下面側を凹状にへこませて手掛部を手の平で握りやすくした形状も開示されている。
【先行技術文献】
【特許文献】
【０００４】
【特許文献１】特許第３３２７００５号公報
【特許文献２】特開２００５−３０７４４９号公報
【発明の概要】
【発明が解決しようとする課題】
【０００５】
上記特許文献１及び２に記載のものは、手や下腕部を乗せる上面が平坦面で構成されているので、手や下腕部を滑らせながら伝え歩きをする際に痛みが伴わず使用しやすい形状になっている。
しかしながら、これらに開示されている手掛部は手で掴もうとする際に、手摺に対して横方向或いは下方から指先を掛ける形状となっているため、上方からしっかりと掴みにくい形状となっている。
【０００６】
また近年、住空間におけるあらゆるもののデザインは、すっきりとした印象の意匠性を備えたものが好まれ、手摺らしくないデザインのものが求められている。
【０００７】
本発明は、上記実情に鑑みてなされたものであり、伝い歩きがしやすく且つ掴みやすいものでありながら、意匠性に優れた手摺を提供することを目的としている。
【課題を解決するための手段】
【０００８】
上記目的を達成するために、本発明に係る手摺は、壁取付面を有し手摺本体を備えた手摺であって、前記手摺本体は、断面視において略Ｌ字状に形成され、床面と対向する下端面と、該下端面に対して略垂直に形成され反壁面側を構成する本体前面と、該本体前面に対して略垂直に形成された上端面とを有し、前記下端面、前記本体前面及び前記上端面がいずれも平坦面とされるとともに、前記上端面から前記壁取付面へ連なる面の途中部位には、指先がかけられるように凹状に形成された手掛部が設けられていることを特徴とする。
【０００９】
本発明において、前記手掛部から前記壁取付面へ連なる面には、斜めに傾斜した傾斜面が形成されているものとしてもよい。
また本発明において、前記本体前面には、凹所が形成されており、この凹所には前記手摺本体を前記壁面に固定するための取付具が挿通されるとともに、前記凹所を塞ぐためのカバー部材が嵌め込まれることにより前記カバー部材の前面と前記本体前面とが略同一面となり、前記本体前面が平坦面とされるものとしてもよい。
さらに本発明において、前記カバー部材の両端部には、前記凹所の側面に押し当てられ前記凹所内に嵌め込まれる突出片が形成されているものとしてもよい。
【発明の効果】
【００１０】
本発明に係る手摺によれば、上述の構成としているので、伝い歩きがしやすく且つ掴みやすい機能性を備えたものでありながら、意匠性にも優れている。
【図面の簡単な説明】
【００１１】
【図１】本発明の一実施形態に係る手摺を説明するための模式的断面図である。
【図２】同手摺の取り付け工程を説明するための模式的断面図である。
【図３】同手摺の手摺本体を示す部分斜視図である。
【発明を実施するための形態】
【００１２】
以下に本発明の実施の形態について、図面に基づいて説明する。
本実施形態に係る手摺１は、壁取付面３を有し手摺本体２を備えた手摺１であって、手摺本体２は、断面視において略Ｌ字状に形成され、床面と対向する下端面４と、下端面４に対して略垂直に形成され反壁面側を構成する本体前面５と、本体前面５に対して略垂直に形成された上端面６とを有している。下端面４、本体前面５及び上端面６がいずれも平坦面とされるとともに、上端面６から壁取付面３へ連なる面の途中部位には、指先がかけられるように凹状に形成された手掛部７が設けられている。
以下、詳しく説明する。
【００１３】
手摺１は、床面（不図示）に対して略平行に且つ床面から例えば成人のおよそ腰位置の高さに壁面２０に沿って取り付けられる。
ここで壁面２０は、床面に対して略垂直に設けられ、その壁面２０に対して天井面（不図示）は略垂直に設けられている。
手摺１は、ＭＤＦ（中密度繊維板）等の木質材からなる手摺本体２と、後記するカバー部材１０とを備えている。
手摺本体２を構成する木質材は、長尺で断面視において略Ｌ字状に形成されており、その表面には樹脂材等からなる表面化粧シート２ａが貼着され一体とされている。表面化粧シート２ａは、手摺本体２の全面に貼着してもよいが、少なくとも手摺１の取付状態において露出する下端面４、本体前面５、上端面６に貼着されていることが望ましい。さらに後記する壁対向面１２、手掛部７、傾斜面８及び水平面１３も表面化粧シート２ａが貼着されていることが望ましい。
【００１４】
手摺本体２の下端面４、本体前面５及び上端面６は、上述したようにいずれも平坦に形成されている。また壁取付面３も、壁面２０に密着して取り付けられるように平坦に形成されている。
すなわち、手摺本体２は、壁取付面３に対して下端面４とが略垂直、下端面４に対して本体前面５が略垂直、本体前面５に対して上端面６が略垂直に形成されている。
従って、手摺本体２を壁面２０に取り付けると、下端面４が床面と略平行に且つ床面と対面するように配置され、本体前面５は壁面２０と略平行、上端面６は天井面（不図示）と略平行に且つ天井面と対面するように配置される。
【００１５】
下端面４の寸法は特に限定されるものではないが、例えば６０ｍｍ〜７０ｍｍ程度とすれば、壁面２０に取り付けた際の出幅寸法を抑えることができ、例えば狭い廊下等に手摺１を設置する場合でも邪魔になることなく、コンパクトに構成できる。
また本体前面５の寸法も特に限定されるものではないが、例えば７５ｍｍ〜８５ｍｍ程度とすれば、手摺１としての強度を十分に備えたものとすることができる。
上端面６から壁取付面３へ連なる面の途中部位には、凹状に形成された手掛部７が設けられている。手掛部７は、手摺１の前方から手で上端面６をつかんだ際に指先が引っ掛けられる深さに形成され、握力の弱い高齢者や病人、幼児等がつかみやすいように上端面６の幅寸法は、例えば２５ｍｍ〜３５ｍｍ程度とすることが望ましい。
【００１６】
上端面６から手掛部７に至るまでには、壁面２０と対向する壁対向面１２が形成されており、手摺本体２を壁面２０に取り付けた場合、壁対向面１２は壁面２０と略平行に配置される。
また手掛部７から壁取付面３へ連なる面には、斜めに傾斜した傾斜面８が形成されているものとしてもよい。
傾斜面８の傾斜角度は特に限定されるものではなく、手摺１の大きさ等に応じて適宜設定され、図例のように湾曲した傾斜面８としてもよい。
このように傾斜面８を備えたものすれば、手摺本体２に厚みを持たせることができ、手掛部７に力が加わっても強度のある手摺本体２とすることができる。また略直角の角部とせず傾斜面８とすることにより、手掛部７から壁取付面３へ連なる面にたまる埃などを掃除しやすいものとすることができる。
さらに図例のように傾斜面８から壁取付面３へ至るまでに下端面４と略平行に形成される水平面１３を備えたものしてもよい。この水平面１３は、手摺本体２を壁面２０に取り付けた場合、床面に対して略平行に配置される。
【００１７】
下端面４と本体前面５との角部、本体前面５と上端面６の角部、上端面６と壁対向面１２の角部、壁対向面１２と手掛部７の角部は、それぞれが図例のＲ加工されているものとしてもよい。また図示していないが、上述の各角部が面取り加工されているものとしてもよい。
これによれば、手摺１の角部に当たったときの事故を防止することができる。また手掛部７の握り心地がよいものとすることができる。
【００１８】
本体前面５には、手摺本体２の長手方向に沿って凹所９が形成されている。凹所９には手摺本体２を壁面２０に固定するための取付具１１が挿通される。
ここでは取付具１１としてねじが用いられた例を示しており、取付具１１が使用される本数は、手摺１の長さに応じて設定される。
図中、９ａは凹所９の底面、９ｂは凹所９の側面を示しており、取付具１１は底面９ａに螺入され、手摺本体２を突き抜けて壁取付面３に至り、壁面２０に及ぶ。
凹所９の深さは、特に限定されるものではないが、手摺１の壁面２０への取り付け状態において、少なくともこの取付具１１のねじ頭が収容できる深さであればよい（図１参照）。
【００１９】
凹所９は、取付具１１が螺入される箇所に形成されていればよく、本体前面５に部分的に形成されるものとしてもよいが、図３に示すように手摺本体２の長手方向に沿って大きく形成されたものとしてもよい。
なお、凹所９は図３のように本体前面５の端から端まで形成してもよいし、端を一部残して形成してもよい。図３のように端から端まで形成した場合は、手摺１の長手方向両端部にエンドキャップ（不図示）が取り付けられるようにしてもよい。
図３において、９１は、取付具１１がねじこまれるねじ孔９１の位置を示しており、図例では、取付具１１が上下に並列に２本ずつ挿通される例を示しているが、これに限定されるものではない。
取付具１１は、この凹所９の底面９ａに予め形成されたねじ孔９１に螺入され、壁面２０に至る長さを備えたものが用いられる（図１参照）。
【００２０】
凹所９には、凹所９を塞ぐためのカバー部材１０が嵌め込まれる。
カバー部材１０は、ＡＢＳ樹脂等の樹脂材等からなり、カバー部材１０の上端部及び下端部には、凹所９の側面９ｂに押し当てられ凹所９内に嵌め込まれる突出片１０ｂａが形成されている。
カバー部材１０は、凹所９の形状、大きさに合わせて凹状に形成され、凹所９を覆う前面部１０ａと、側面９ｂと嵌め合わされる側部１０ｂとを備えている。
突出片１０ｂａの形状や構成は特に限定されるものではなく、側面９ｂに突出片１０ｂａが押し当てられることによって、凹所９にカバー部材１０が嵌め込まれるように構成されていればよい。
図例の突出片１０ｂａは、図１の部分拡大図に示すように側部１０ｂの凹所９への嵌合方向先側における外面側に複数形成され、凹所９の側面９ｂに向けて傾斜しながら突出して形成されている。
【００２１】
これによりカバー部材１０の前面部１０ａと本体前面５とが略同一面となり、本体前面５が平坦面とされる。
また凹所９の底面９ａに挿通された取付具１１がカバー部材１０で覆われるので、取付具１１が露出せず見栄えがよい。また上述のように伝い歩きする際に手摺１に寄りかかっても取付具１１が当たることがなく、安全に使用することができる。
さらにカバー部材１０に上述の突出片１０ａが設けられたものとすれば、カバー部材１０を簡易な構成で凹所９に嵌め込むことができる。
そして、カバー部材１０が凹所９に嵌め込まれた際には、カバー部材１０の前面部１０ａと本体前面５とが略同一面となるので、見栄えがよく、またカバー部材１０の前面部１０に出っ張った箇所がないので、カバー部材１０を引掛けて外してしまうおそれを軽減できる。
【００２２】
次に手摺１の壁面２０への取り付け要領の一例について簡単に説明する。
まず、壁面２０の手摺１の取り付け位置に壁取付面３を密着させた状態で保持し、凹所９の底面９ａに取付具１１を螺入していく（図２参照）。手摺１の取り付け位置は、主たる使用者の腰の位置あたりに設定するようにしてもよく、適宜設定することができる。このとき、取付具１１を予め形成されたねじ孔９１挿通し、壁面２０に至るまで螺入していけばよい。なお、凹所９にねじ孔９１が形成されていない場合は、任意の場所に螺入すればよい。例えば、壁面２０の下地桟（不図示）が設けられている位置を確認して、その位置に向けて螺入すれば、強固に手摺１を取り付けることができる。もちろん予め形成ねじ孔９１の位置と下地桟の位置を位置合わせしてから取り付けてもよい。
そして取付具１１で手摺本体２を壁面２０に固着したら、カバー部材１０を凹所９に嵌め入れれば、取り付け施工完了である（図１参照）。
【００２３】
以上のように、本実施形態に係る手摺１は、手摺本体２に壁取付面３を有しているので、部品点数が少ない。従って、別途取付部材等を必要としないため、施工工数が少なく上述のように簡易に手摺１を取り付けることができる。
また手摺本体２の下端面４、本体前面５、上端面６がいずれも平坦面とされているので、直線で構成されたデザインが従来の手摺と比較すると手摺１にみえにくく、すっきりとした印象を与え、意匠性が高い手摺１とすることができる。
さらに上端面６が平坦面とされているので、例えば歩行を補助するために下腕部をあてて滑らせながら移動する伝い歩きがしやすく、またその際に痛みが伴いにくい。
そして手摺１を掴みたいときには、上方から掴める手掛部７が設けられているので、掴みやすいという機能性も十分に備えている。
【００２４】
以上、手摺１の形状や構成、取り付け要領、壁面２０への固着構造等は上述の例に限定されず、例えば本体前面５に凹所９が形成されていないものとしてもよい。この場合、取付具１１は、下端面４や水平面１３等、螺入後の取付具１１が見えにくい場所から螺入されるようにすることが望ましい。また手摺１の長さも特に長尺に限定されるものでなく、使用場所や設置環境に合わせて設定することができる。
さらに手摺１は屋内に限らず、例えば屋上などの屋外に設置されるものとしてもよい。この場合は、手摺本体２を樹脂材、金属材等からなるものとしてもよい。
【符号の説明】
【００２５】
１      手摺
２      手摺本体
３      壁取付面
４      下端面
５      本体前面
６      上端面
７      手掛部
８      傾斜面
９      凹所
１０      カバー部材
１１      取付具
２０      壁面
【図１】
2012046890.tif 000003
【図２】
2012046890.tif 000004
【図３】
2012046890.tif 000005